(57)【要約】【課題】網給電がされないＶｏＩＰ通話中に停電が発生しても通話を自動的に再開可能な電話装置を提供する。【解決手段】ＶｏＩＰ通話開始時に、ＰＳＴＮ番号検出部８又はＶｏＩＰ処理部２により検出された接続先の番号に基づいて、番号検索制御部９によりデータベース９Ａに記憶された接続先のＰＳＴＮ網１０に対するＰＳＴＮ番号を検索して不揮発性メモリ９Ｂに予め記録し、ＶｏＩＰ処理部２からインターネット網２０を介してＶｏＩＰ通話中に、停電検知部３にて商用電源３１の停電を検知すると、給電切替部４にて、網給電部１に切り替えて網給電が可能なＰＳＴＮ網１０からの給電を行ない、ＰＳＴＮ自動発呼部７を起動し、不揮発性メモリ９Ｂに予め記録されていた接続先のＰＳＴＮ番号を用いて、ＰＳＴＮ網１０に対して自動的に発呼し、ＶｏＩＰ通話の接続先の応答により、該接続先とＰＳＴＮ網１０を介して再通話接続を行なうことにより、通話を再開させる。【選択図】図１
2005086286.tif 000002
【特許請求の範囲】
【請求項１】
接続された装置に対して網給電が可能な第一のネットワークに接続されると共に、接続された装置に対する給電が不可能な第二のネットワークにも接続されて、いずれかのネットワークを経由して、前記第一のネットワーク及び／又は前記第二のネットワークに接続された他の電話装置との間で通話が可能な電話装置において、前記第一のネットワークを経由して前記他の電話装置に対して発呼するための発呼情報を予め記憶する発呼情報記憶手段と、商用電源の停電を検知する停電検知手段と、該商用電源からの給電と前記第一のネットワークからの網給電とを切り替える給電切替手段とを具備し、前記第一のネットワークと前記第二のネットワークとの双方に接続された他の電話装置と、前記第二のネットワークを経由した通話中の状態にある場合に、商用電源の停電を前記停電検知手段により検知した場合、前記給電切替手段により前記第一のネットワークからの網給電に切り替えると共に、前記発呼情報記憶手段により予め記憶された前記発呼情報を用いて前記第一のネットワークを経由して、通話中の状態にあった該他の端末装置に対して発呼することを特徴とする電話装置。
【請求項２】
接続された装置に対して網給電が可能な第一のネットワークに接続されると共に、接続された装置に対する給電が不可能な第二のネットワークにも接続されて、いずれかのネットワークを経由して、前記第一のネットワーク及び／又は前記第二のネットワークに接続された他の電話装置との間で通話が可能な電話装置において、前記第一のネットワークを経由して前記他の電話装置に対して発呼するための発呼情報を予め記憶する発呼情報記憶手段と、商用電源の停電を検知する停電検知手段と、該商用電源からの給電と前記第一のネットワークからの網給電とを切り替える給電切替手段とを具備し、前記第一のネットワークにのみ、又は、前記第一のネットワークと前記第二のネットワークとの双方に接続された他の電話装置と、前記第一のネットワークを経由した通話中の状態にある場合に、商用電源の停電を前記停電検知手段により検知した場合、前記第一のネットワークからの網給電により前記第一のネットワークを経由した通話状態を継続することを特徴とする電話装置。
【請求項３】
接続された装置に対して網給電が可能な第一のネットワークに接続されると共に、接続された装置に対する給電が不可能な第二のネットワークにも接続されて、いずれかのネットワークを経由して、前記第一のネットワーク及び／又は前記第二のネットワークに接続された他の電話装置との間で通話が可能な電話装置において、前記第一のネットワークを経由して前記他の電話装置に対して発呼するための発呼情報を予め記憶する発呼情報記憶手段と、商用電源の停電を検知する停電検知手段と、該商用電源からの給電と前記第一のネットワークからの網給電とを切り替える給電切替手段とを具備し、前記第二のネットワークにのみ接続された他の電話装置と、前記第二のネットワークを経由した通話中の状態にある場合に、商用電源の停電を前記停電検知手段により検知した場合、前記発呼情報記憶手段により前記第一のネットワークを経由する前記発呼情報が記憶されていないことを検出して、通話中の状態にあった該他の端末装置との間の通話を終了させることを特徴とする電話装置。
【請求項４】
請求項１乃至３のいずれかに記載の電話装置において、接続相手先となる可能性がある他の電話装置が接続されている前記第一のネットワーク及び／又は前記第二のネットワークに対する発呼情報を予め設定して登録しているデータベースを具備し、前記発呼情報記憶手段が、当該電話装置が他の電話装置との間で前記第一のネットワーク又は前記第二のネットワークを経由して通話を開始する際に用いられた発呼情報又は着呼情報に基づいて、前記データベースを検索して、該他の電話装置に対する前記第一のネットワークを経由する発呼情報を、存在の有無を含めて予め記憶することを特徴とする電話装置。
【発明の詳細な説明】
【技術分野】
【０００１】
本発明は、電話装置に関し、特に、複数のネットワークのいずれかを経由して通話を行なうことが可能な電話装置に関する。
【背景技術】
【０００２】
ＶｏＩＰ（Voice  over  Internet  Protocol）は、音声をパケット化してデータネットワークとして普及しているインターネット網を介して音声通信を実現するものであり、近年急速に普及が進んでいる。
かかるＶｏＩＰ通話を実現するための従来のＶｏＩＰアダプタとしては、次のような技術が提案されている。例えば、特許文献１に示す特開２００１−２２３７４８号公報「インターネット電話ネットワークシステム」に記載された技術は、通話情報として入力された音声をパケット化してデジタルデータとして通信するデジタル通信回線と、入力された音声をアナログデータのまま通信するアナログ通信回線とを用いるインターネット電話ネットワークシステムにおいて、電話機から通話情報と電話番号とからなる所定の情報を入力することにより、接続先判定手段により、前記デジタル通信回線と前記アナログ通信回線とのいずれか一方の経路を選択して、選択した経路に前記所定の情報を出力する通話装置アダプタを有することを特徴としている。
【０００３】
また、例えば、特許文献２に示す特表２００３−５０９９７４号公報「遠隔通信用システムおよび装置」に記載された技術は、デジタルネットワーク上のＩＰ電話と公衆回線交換電話ネットワーク（ＰＳＴＮ）上の電話との間の通信のために、集中型ゲートウェイの代わりに分散型ゲートウェイを利用するＩＰ電話通信用システムにおいて、分散型ゲートウェイとして、公衆回線交換電話ネットワークに接続する第１ポートとデジタルネットワークに接続する第２ポートと、該第１ポートと該第２ポートとの間のパスを制御するゲートウェイ手段の他に、通常の既存の電話機を接続するための第３ポートを設け、商用電源の停電時には、該第３ポートを自動的に前記第１ポートに接続する機構を含むことを特徴としている。
【０００４】
また、例えば、特許文献３に示す特開２００３−１２５０９号公報「ｘＤＳＬ対応ＶｏＩＰアダプタを用いる通話方式」に記載された技術は、既存のアナログ電話機と、公衆回線を介して高速デジタル伝送を行なうためのｘＤＳＬモデムと、ｘＤＳＬモデム信号とアナログ電話機信号とを分離するスプリッタとを設けたｘＤＳＬ対応ＶｏＩＰアダプタにおいて、商用電源の停電時には、アナログ電話機を自動的に直接スプリッタに接続するスイッチ手段を有することを特徴としている。
【特許文献１】特開２００１−２２３７４８号公報
【特許文献２】特表２００３−５０９９７４号公報
【特許文献３】特開２００３−１２５０９５号公報
【発明の開示】
【発明が解決しようとする課題】
【０００５】
しかしながら、従来の技術においては、前述した各特許文献に記載の技術のように、いずれも、商用電源の停電が発生した場合に、新たに発生した電話呼に関しては、通話可能なアナログ電話機への切り替えがなされて、網給電が可能なＰＳＴＮ網を用いる接続を可能としているものの、ＶｏＩＰ通話中の状態にある通話呼に関しては、通話が強制的に終了されてしまうという問題がある。更には、従来技術においては、商用電源の停電に関する自動的な検知手段や停電時における自動的な給電切替手段が具備されていないこと、更には、新たに切り替えられるアナログ電話機のＰＳＴＮ網に対する発呼情報（ＰＳＴＮ番号）を自動的に取得する手段が具備されていないために、停電発生時におけるアナログ電話機の利便性に問題があった。
【０００６】
本発明は、かかる事情に鑑みてなされたものであり、網給電が可能なＰＳＴＮ網（公衆電話網）などの第一のネットワークを経由して通話中の状態にある場合に、商用電源の停電が発生した場合には、そのまま第一のネットワークを経由した通話を継続し、一方、網給電がなされないインターネット網などの第二のネットワークを経由して音声パケットとして通話を行なうＶｏＩＰ通話中に、商用電源の停電が発生した場合には、該停電を自動的に検知して、各回路部に対する給電系統を網給電が可能な第一のネットワークからの給電に自動的に切り替えると共に、予め設定されている発呼情報（第一のネットワークに対する電話番号）を用いて、第一のネットワークに対して自動的に発呼して、通話を再開させることを可能ならしめることを目的としている。
【課題を解決するための手段】
【０００７】
第１の技術手段は、接続された装置に対して網給電が可能な第一のネットワークに接続されると共に、接続された装置に対する給電が不可能な第二のネットワークにも接続されて、いずれかのネットワークを経由して、前記第一のネットワーク及び／又は前記第二のネットワークに接続された他の電話装置との間で通話が可能な電話装置において、前記第一のネットワークを経由して前記他の電話装置に対して発呼するための発呼情報を予め記憶する発呼情報記憶手段と、商用電源の停電を検知する停電検知手段と、該商用電源からの給電と前記第一のネットワークからの網給電とを切り替える給電切替手段とを具備し、前記第一のネットワークと前記第二のネットワークとの双方に接続された他の電話装置と、前記第二のネットワークを経由した通話中の状態にある場合に、商用電源の停電を前記停電検知手段により検知した場合、前記給電切替手段により前記第一のネットワークからの網給電に切り替えると共に、前記発呼情報記憶手段により予め記憶された前記発呼情報を用いて前記第一のネットワークを経由して、通話中の状態にあった該他の端末装置に対して発呼する電話装置とすることを特徴とする。
【０００８】
第２の技術手段は、接続された装置に対して網給電が可能な第一のネットワークに接続されると共に、接続された装置に対する給電が不可能な第二のネットワークにも接続されて、いずれかのネットワークを経由して、前記第一のネットワーク及び／又は前記第二のネットワークに接続された他の電話装置との間で通話が可能な電話装置において、前記第一のネットワークを経由して前記他の電話装置に対して発呼するための発呼情報を予め記憶する発呼情報記憶手段と、商用電源の停電を検知する停電検知手段と、該商用電源からの給電と前記第一のネットワークからの網給電とを切り替える給電切替手段とを具備し、前記第一のネットワークにのみ、又は、前記第一のネットワークと前記第二のネットワークとの双方に接続された他の電話装置と、前記第一のネットワークを経由した通話中の状態にある場合に、商用電源の停電を前記停電検知手段により検知した場合、前記第一のネットワークからの網給電により前記第一のネットワークを経由した通話状態を継続する電話装置とすることを特徴とする。
【０００９】
第３の技術手段は、接続された装置に対して網給電が可能な第一のネットワークに接続されると共に、接続された装置に対する給電が不可能な第二のネットワークにも接続されて、いずれかのネットワークを経由して、前記第一のネットワーク及び／又は前記第二のネットワークに接続された他の電話装置との間で通話が可能な電話装置において、前記第一のネットワークを経由して前記他の電話装置に対して発呼するための発呼情報を予め記憶する発呼情報記憶手段と、商用電源の停電を検知する停電検知手段と、該商用電源からの給電と前記第一のネットワークからの網給電とを切り替える給電切替手段とを具備し、前記第二のネットワークにのみ接続された他の電話装置と、前記第二のネットワークを経由した通話中の状態にある場合に、商用電源の停電を前記停電検知手段により検知した場合、前記発呼情報記憶手段により前記第一のネットワークを経由する前記発呼情報が記憶されていないことを検出して、通話中の状態にあった該他の端末装置との間の通話を終了させる電話装置とすることを特徴とする。
【００１０】
第４の技術手段は、前記第１乃至第３の技術手段のいずれかに記載の電話装置において、接続相手先となる可能性がある他の電話装置が接続されている前記第一のネットワーク及び／又は前記第二のネットワークに対する発呼情報を予め設定して登録しているデータベースを具備し、前記発呼情報記憶手段が、当該電話装置が他の電話装置との間で前記第一のネットワーク又は前記第二のネットワークを経由して通話を開始する際に用いられた発呼情報又は着呼情報に基づいて、前記データベースを検索して、該他の電話装置に対する前記第一のネットワークを経由する発呼情報を、存在の有無を含めて予め記憶することを特徴とする。
【発明の効果】
【００１１】
前述のような各技術手段から構成される本発明に係る電話装置によれば、以下のごとき効果を得ることができる。
即ち、網給電が可能なＰＳＴＮ網（公衆電話網）などの第一のネットワークを経由して通話中の状態にある場合に、商用電源の停電が発生した場合には、そのまま第一のネットワークを経由した通話を継続し、一方、給電がなされない接続装置からなるインターネット網などの第二のネットワークを経由して音声パケットとして通話を行なうＶｏＩＰ通話中に、商用電源の停電が発生した場合には、該停電を自動的に検知して、各回路部に対する給電系統を網給電が可能な第一のネットワークからの給電に自動的に切り替えると共に、予め設定されている発呼情報（第一のネットワークに対する電話番号）を用いて、第一のネットワークに対して自動的に発呼接続し直して、通話を再開させることが可能であり、停電発生時における使用者に対する利便性を大幅に向上させることができる。
【発明を実施するための最良の形態】
【００１２】
本発明に係る電話装置は、接続された装置に対する網給電が可能なＰＳＴＮ網（公衆電話網）などの第一のネットワークに接続されると共に、接続された装置に対する給電が不可能なインターネット網などの第二のネットワークにも接続されていて、前記第一、前記第二のいずれのネットワークを経由しても、前記第一のネットワークや前記第二のネットワークに接続された他の電話装置との間で通話を行なうことを可能としているものである。ここで、接続相手先となる他の電話装置は、前記第一のネットワークのみに接続可能な既存のアナログ電話機などであっても良いし、前記第二のネットワークのみに接続可能な音声機能付きＰＣ（パーソナルコンピュータ）を含むＩＰ電話機などであっても良いし、あるいは、既存のＶｏＩＰアダプタを介することにより前記第一のネットワークと前記第二のネットワークとの双方に接続可能な電話装置であっても良い。
【００１３】
更に、本発明に係る電話装置は、前記第一及び前記第二の双方のネットワークに接続されている他の電話装置との間で安定した通話接続を行なう場合に備えて、前記第一のネットワークを経由して前記他の電話装置に対して発呼するための発呼情報を予め記憶する発呼情報記憶手段を具備し、かつ、停電検知手段により商用電源の停電を検知した場合に、商用電源からの給電を、前記第一のネットワークからの網給電へと切り替えることができる給電切替手段を具備し、前記他の電話装置と前記第二のネットワークを経由した通話中の状態にある場合に、商用電源の停電を検知した場合、前記給電切替手段により前記第一のネットワークからの網給電に切り替えると共に、前記発呼情報記憶手段により予め記憶された前記発呼情報を用いて前記第一のネットワークを経由して、通話中の状態にあった該他の装置に対して発呼し、該他の電話装置が応答した場合に該他の電話装置との通話を再開させるものである。
【００１４】
一方、前記他の電話装置と前記第一のネットワークを経由した通話中の状態にある場合に、商用電源の停電を検知した場合には、前記第一のネットワークからの網給電により前記第一のネットワークを経由した通話状態をそのまま継続するものである。
【００１５】
以下に、本発明に係る電話装置に関する実施の形態の一例について図面を参照しながら説明する。
図１は、本発明に係る電話装置の要部の一構成例と共に該電話装置のネットワーク接続構成の一例を示す概念図である。図１に示すように、電話装置１００は、既存の電話機４１を用いても、破線にて囲まれたＶｏＩＰアダプタ５１により、網給電が可能な第一のネットワークであるＰＳＴＮ網１０と、網給電が不可能な第二のネットワーク即ちイーサネット（登録商標）やｘＤＳＬモデム等の接続装置を介して音声パケットとして送受信するインターネット網２０との双方に接続することが可能であり、いずれのネットワークを介しても通話接続を行なうことが可能である。
【００１６】
即ち、図１に示す電話装置１００のＶｏＩＰアダプタ５１は、公衆回線１１、イーサネット（登録商標）やｘＤＳＬモデム等の接続装置を介してインターネット網２０に接続されるＶｏＩＰ回線２１、商用電源３１、及び、既存の電話機４１とそれぞれ接続するためのポート１１ａ、２１ａ、３１ａ、及び、４１ａを備えており、既存の電話機４１は、ＶｏＩＰアダプタ５１のポート４１ａに接続されて、ポート１１ａに接続された公衆回線１１を介してＰＳＴＮ網１０に接続可能であり、更に、ポート２１ａに接続されたＬＡＮやｘＤＳＬモデム等の接続装置を経由してＶｏＩＰ回線２１を介してインターネット網２０に接続可能である。以下に、図１に示すネットワーク接続構成図に含まれている各構成要素について更に説明する。
【００１７】
既存の電話機４１及び４２は、それぞれ公衆回線１１及び１２をインタフェースとしてＰＳＴＮ網１０を経由した音声通話を行なうことが可能な装置であり、それぞれ、ＶｏＩＰアダプタ５１及び既存のＶｏＩＰアダプタ５２を介在させることにより、通話情報を音声パケット化して、ＶｏＩＰ回線２１及び２２をインタフェースとしてインターネット網２０を経由するＶｏＩＰ通話を行なうことも可能となる。
ここで、ＰＳＴＮ網１０は、接続されている各種装置に対して網給電が可能な音声通話用ネットワークである。また、公衆回線１１及び１２は、ＰＳＴＮ網１０と電話装置１００のＶｏＩＰアダプタ５１及び既存のＶｏＩＰアダプタ５２とを接続して、ＰＳＴＮ網１０から給電されてくる電力を各アダプタに対して供給すると共に、アナログ音声帯域を含む各種信号を伝送することを可能とする電話回線である。
【００１８】
ＶｏＩＰ回線２１及び２２は、それぞれ、商用電源により給電が必要なＬＡＮやｘＤＳＬモデム等などの接続装置を介して、網給電がなされないインターネット網２０と電話装置１００のＶｏＩＰアダプタ５１及び既存のＶｏＩＰアダプタ５２とを接続して、インターネット網２０を介して音声パケットを含む各種データを送受信する伝送回線である。ここに、インターネット網２０は、インターネットプロトコル（ＶｏＩＰプロトコルも含む）に基づいて、音声パケットも含む各種データのやり取りを行なうネットワークである。
【００１９】
既存のＶｏＩＰアダプタ５２は、既存の電話機４２と接続され、該既存の電話機４２を用いて、公衆回線１２を介して接続されるＰＳＴＮ網１０を経由する音声通話と、ＶｏＩＰ回線２２を介して接続されるインターネット網２０を経由するＶｏＩＰ通話との双方の通話を可能にするものである。
【００２０】
また、既存のＶｏＩＰゲートウェイ３０は、ＰＳＴＮ網１０とインターネット網２０とに接続されており、ＰＳＴＮ網１０を経由する音声通話とインターネット網２０を経由したＶｏＩＰ通話との間の相互通話を可能とするゲートウェイである。
【００２１】
ＶｏＩＰアダプタ５１の網給電部１は、ポート１１ａを介して公衆回線１１に接続されていて、ＰＳＴＮ網１０からの網給電が可能な公衆回線１１を経由して供給されてくる電力を、電話装置１００の各回路部に供給する手段を備え、また、既存の電話機４１から回線切替部６を介して入出力される音声帯域を含む信号を公衆回線１１との間で送受信すると共に、トーン信号又はパルス信号からなる接続先を示す情報（即ち、発呼情報や着呼情報）を送受信する手段をも備えている。
【００２２】
ＶｏＩＰアダプタ５１のＶｏＩＰ処理部２は、既存のＶｏＩＰアダプタ５２の場合と同様に、ポート２１ａを介してＬＡＮやｘＤＳＬモデム等の接続装置を経由してＶｏＩＰ回線２１に接続されていて、ＶｏＩＰデータの送信時には、回線切替部６を介して接続された既存の電話機４１からのアナログ音声信号を入力として、デジタル信号に変換すると共に、接続相手先の番号（ＶｏＩＰ番号）などを示す情報を含む複数のパケットに分割して、パケット化された音声パケットを、ＶｏＩＰ回線２１を経由してインターネット網２０へ出力する手段を備えている。
【００２３】
更に、ＶｏＩＰ処理部２は、ＶｏＩＰデータの受信時には、インターネット網２０からＶｏＩＰ回線２１を経由して受信される音声パケットをアナログ音声信号に変換して回線切替部６を介して既存の電話機４１に出力する手段を備えている。なお、ＶｏＩＰアダプタ５１は、接続相手先の番号（ＶｏＩＰ番号）を音声パケットから抽出して、番号検索制御部９に送信する手段をも備えている。
【００２４】
ここで、ＶｏＩＰ回線２１を介して送受信される音声パケット（ＶｏＩＰデータ）は、インターネット網２０を経由して接続相手先のＶｏＩＰ回線２２を介して既存のＶｏＩＰアダプタ５２へＶｏＩＰ通話として送信されるか、もしくは、既存のＶｏＩＰゲートウェイ３０により、アナログ音声信号に変換されて、ＰＳＴＮ網１０に送信され、ＰＳＴＮ網１０に接続されている接続相手先の公衆回線１２を介して既存のＶｏＩＰアダプタ５２に音声通話として送信される。
【００２５】
ＶｏＩＰアダプタ５１の停電検知部３は、商用電源３１から電力が供給されているか否かを検知する停電検知手段を備えており、商用電源３１の停電の有無の検知結果に基づいて、給電切替部４の動作を制御する。ここに、商用電源３１は、家庭用の一般のＡＣ１００Ｖ等の電源である。
給電切替部４は、停電検知部３からの制御を受けて、商用電源３１からの電力を供給する通常給電部５と、ＰＳＴＮ網１０から公衆回線１１を介して電力が供給されてくる網給電部１とのいずれから電話装置１００の各回路部に対して電力を供給させるかを切り替える給電切替手段を備えている。ここに、通常給電部５は、商用電源３１から供給される電力をもって電話装置１００の各回路部に対して電力を供給する手段を備えている。
【００２６】
ＶｏＩＰアダプタ５１の回線切替部６は、既存の電話機４１と接続されるポート４１ａの接続を、ＰＳＴＮ通話とＶｏＩＰ通話とのいずれかに応じて、それぞれにおいて使用される網給電部１とＶｏＩＰ処理部２との間で切り替える手段を備えている。
【００２７】
ＶｏＩＰアダプタ５１のＰＳＴＮ自動発呼部７は、後述するように、番号検索制御部９によって不揮発性メモリ９Ｂに記録されている接続相手先に示すＰＳＴＮ番号を基にして、公衆回線１１を経由してＰＳＴＮ網１０に対して自動的に発呼する手段を備えており、ＶｏＩＰ処理部２を用いたインターネット網２０を経由するＶｏＩＰ通話の通話中の状態にある場合に、停電検知部３が商用電源３１の停電を検知すると、給電切替部４が網給電部１に給電先を切り替えてＰＳＴＮ網１０からの網給電を行なうことにより起動されて、不揮発性メモリ９Ｂに記録されているＰＳＴＮ番号を発呼情報として公衆回線１１を介してＰＳＴＮ網１０に対して自動的に発呼するものである。
【００２８】
ＶｏＩＰアダプタ５１のＰＳＴＮ番号検出部８は、既存の電話機４１からの発信時において入力されてくるトーン信号もしくはパルス信号からなる電話番号（即ち、ＰＳＴＮ番号又はＶｏＩＰ番号からなる発呼情報）を検出して、検出した電話番号を番号検索制御部９に送信する手段を備えると共に、ＰＳＴＮ網１０を経由して公衆回線１１から着呼されるＰＳＴＮ着呼時に、接続相手先の電話番号（即ち、ＰＳＴＮ番号又はＶｏＩＰ番号からなる着呼情報）を検出し、検出した電話番号を番号検索制御部９に送信する手段を備えている。
【００２９】
ＶｏＩＰアダプタ５１の番号検索制御部９は、ＰＳＴＮ番号検出部８から送信されてくる電話番号（即ち、接続相手先を示すＰＳＴＮ番号又はＶｏＩＰ番号）を受信して、該電話番号に基づいて、接続先毎の情報（例えば、接続先の名称、ＰＳＴＮ番号、ＶｏＩＰ番号などを含む情報）を予め設定して記憶しているデータベース９Ａを検索する手段を備え、該検索結果に従って、不揮発性メモリ９Ｂに、検索された接続相手先の名称とＰＳＴＮ番号とを、ＰＳＴＮ網１０に対する発呼情報として予め記録する手段と、接続相手先の該当するＰＳＴＮ番号が検索できなかった場合には不揮発性メモリ９Ｂの発呼情報設定領域をクリアする手段とを備えている。
【００３０】
更に、ＶｏＩＰ処理部２から送信されてくる接続相手先の番号（即ち、接続相手先を示すＰＳＴＮ番号又はＶｏＩＰ番号）を受信して、該ＶｏＩＰ番号に基づいて、データベース９Ａを検索する手段を備え、該検索結果に従って、不揮発性メモリ９Ｂに検索された接続相手先の名称とＰＳＴＮ番号とを、ＰＳＴＮ網１０に対する発呼情報として予め記録する手段と、接続相手先の該当するＰＳＴＮ番号が検索できなかった場合には不揮発性メモリ９Ｂの発呼情報設定領域をクリアする手段とを備えている。
【００３１】
即ち、番号検索制御部９は、網給電が可能な第一のネットワーク即ちＰＳＴＮ網１０を経由して接続相手先に対して発呼するための発呼情報を不揮発性メモリ９Ｂに記憶する発呼情報記憶手段を提供しているものである。なお、不揮発性メモリ９Ｂに記憶する発呼情報としては、接続相手先を示すＰＳＴＮ番号のみとして、接続相手先を示す名称を記憶しないようにしても良い。
【００３２】
データベース９Ａは、一つの接続先毎にそれぞれ名称とＰＳＴＮ番号とＶｏＩＰ番号とを含む接続先に関する情報を予め設定して登録しており、インターネット網２０を経由したＶｏＩＰ通話中の商用電源３１が停電した場合に、ＰＳＴＮ網１０を経由したＰＳＴＮ通話に切り替えることにより、接続相手先との通話を再開することを可能とするために、網給電が可能なＰＳＴＮ網１０に対する発呼接続を行なうための発呼情報を検索可能とする情報を予め設定して登録している。即ち、番号検索制御部９により、ＰＳＴＮ番号検出部８から受信した、あるいは、ＶｏＩＰ処理部２から受信した、ＰＳＴＮ番号やＶｏＩＰ番号に基づいて検索が行なわれ、ＰＳＴＮ網１０に対する発呼情報である接続相手先のＰＳＴＮ番号と場合によっては名称とを抽出する。
【００３３】
図３は、発呼情報記憶手段である番号検索制御部９により検索されるデータベース９Ａの登録内容の一例を示すテーブル構成図である。図３のテーブル構成図に示すように、接続先の登録パターンとしては、名称「Ａ」のようにＰＳＴＮ番号とＶｏＩＰ番号とのそれぞれが異なる番号を所有する接続先と、名称「Ｂ」のようにＰＳＴＮ番号とＶｏＩＰ番号とのそれぞれで同一の番号を所有する接続先と、名称「Ｃ」のようにＰＳＴＮ番号のみを所有する接続先と、名称「Ｄ」のようにＶｏＩＰ番号のみを所有する接続先の４通りが考えられる。
【００３４】
不揮発性メモリ９Ｂは、ＰＳＴＮ自動発呼部７によりＰＳＴＮ網１０に対する自動発呼を行なうための発呼情報を記録するためのメモリであり、番号検索制御部９により検索が成功した場合は検索されたデータベース９Ａの情報（発呼情報）が記録され、一方、番号検索制御部９により検索が不成功に終わった場合は発呼情報設定領域がクリアされる。また、ＰＳＴＮ自動発呼部７により、商用電源３１の停電時に、不揮発性メモリ９Ｂに記録された情報（発呼情報）が読み出されて、ＰＳＴＮ網１０に対して自動発呼がなされるか、もしくは、不揮発性メモリ９Ｂには情報（発呼情報）が記録されていないという情報自体が読み出されて、ＰＳＴＮ網１０に対する発呼は行なわれず、通話を終了させる。
【００３５】
次に、図１に示す本発明に係る電話装置１００の動作について図２を用いて詳細に説明する。ここに、図２は、本発明に係る電話装置１００の動作シーケンスの一例を示す動作フローチャートである。なお、説明を容易化するために、図１における既存の電話機４１と既存の電話機４２との間で行なわれる通話の場合を例に取って以下に説明する。
【００３６】
まず、既存の電話機４１の発呼、もしくは、既存の電話機４１への着呼を受け付けると、通話開始として、通話種別が、ＶｏＩＰ発呼もしくはＶｏＩＰ着呼か、あるいは、ＰＳＴＮ発呼もしくはＰＳＴＮ着呼かを判別する（ステップＳ１）。
ここで、通話種別が、既存の電話機４１が既存の電話機４２に対して網給電が可能なＰＳＴＮ網１０を経由してＰＳＴＮ発呼する場合か、もしくは、既存の電話機４２から既存の電話機４１に対してＰＳＴＮ網１０を経由してＰＳＴＮ着呼した場合であることが判別されると（ステップＳ１の「ＰＳＴＮ発呼又はＰＳＴＮ着呼」の場合）、ステップＳ２へ進み、ＰＳＴＮ網１０を経由した実際の通話が開始され通話状態となる（ステップＳ２）。
【００３７】
ステップＳ２において通話状態に置かれた場合、回線切替部６、網給電部１が制御されて、既存の電話機４１側では、ＰＳＴＮ網１０を経由した通話であるので、公衆回線１１から網給電部１を介してＰＳＴＮ網１０からの網給電がなされている状態に設定される。従って、ステップＳ３において、たとえ、商用電源３１の停電が発生したことが停電検知部３により検知されたとしても（ステップＳ３）、ＶｏＩＰアダプタ５１は、商用電源３１からの電力を必要とせず、ＶｏＩＰアダプタ５１内においては、既存の電話機４１と既存の電話機４２との間の通話を引き続き継続した状態が維持される（ステップＳ４）。
【００３８】
一方、ステップＳ１において、既存の電話機４１が既存の電話機４２に対して網給電ができないインターネット網２０を経由してＶｏＩＰ発呼する場合か、もしくは、既存の電話機４２から既存の電話機４１に対してインターネット網２０を経由してＶｏＩＰ着呼した場合であることが判別されると（ステップＳ１の「ＶｏＩＰ発呼又はＶｏＩＰ着呼」の場合）、ステップＳ５へ進み、ＰＳＴＮ網１０に対する発呼情報を予め取得するために、番号検索制御部９が、ＶｏＩＰ発呼における発呼情報又はＶｏＩＰ着呼における着呼情報である電話番号（ＶｏＩＰ番号又はＰＳＴＮ番号）に基づいて、発呼情報記憶手段である番号検索制御部９によりデータベース９ＡからＰＳＴＮ網１０における接続相手先を示す電話番号（ＰＳＴＮ番号）が、ＰＳＴＮ網１０に対する発呼情報として検索される。
【００３９】
ここで、番号検索制御部９における検索方式を、図３に示した４通りの接続先登録パターンそれぞれについて説明する。
まず、既存の電話機４２の接続先登録パターンが、ＰＳＴＮ番号とＶｏＩＰ番号とのそれぞれで異なる番号を所有している図３における名称「Ａ」の場合であれば、次のように動作する。接続相手先の既存の電話機４２との通話において、ＰＳＴＮ網１０経由の既存の電話機４２との発呼接続、又は、ＰＳＴＮ網１０から既存のＶｏＩＰゲートウェイ３０及びインターネット網２０経由の既存の電話機４２との発呼接続、あるいは、その逆の経路となる既存の電話機４２との着呼接続がなされている場合には、ＰＳＴＮ番号検出部８又はＶｏＩＰ処理部２は、図３の名称「Ａ」におけるＰＳＴＮ番号“０１１１１１１１１１”を検出する。
【００４０】
一方、接続相手先の既存の電話機４２との通話において、インターネット網２０経由の既存の電話機４２との発呼接続、又は、インターネット網２０から既存のＶｏＩＰゲートウェイ３０及びＰＳＴＮ網１０経由の既存の電話機４２との発呼接続、あるいは、その逆の経路となる既存の電話機４２との着呼接続がなされていることを検出していた場合には、ＰＳＴＮ番号検出部８又はＶｏＩＰ処理部２は、図３の名称「Ａ」におけるＶｏＩＰ番号“０５０１１１１１１１１”を検出する。
【００４１】
ＰＳＴＮ番号検出部８又はＶｏＩＰ処理部２が、ＰＳＴＮ番号“０１１１１１１１１１”又はＶｏＩＰ番号“０５０１１１１１１１１”のいずれの番号を検出した場合であっても、番号検索制御部９の検索結果として、図３に示すように、データベース９Ａから接続先の名称が名称「Ａ」であり、ＰＳＴＮ番号が“０１１１１１１１１１”であることが判別される。従って、検索結果として該当する番号が検索されたものとして（ステップＳ６の「該当番号あり」の場合）、ステップＳ７に進み、不揮発性メモリ９Ｂに接続相手先の名称「Ａ」とＰＳＴＮ番号“０１１１１１１１１１”とを記録する（ステップＳ７）。
【００４２】
次に、既存の電話機４２の接続先登録パターンが、ＰＳＴＮ番号とＶｏＩＰ番号とのそれぞれで同一の番号を所有している図３における名称「Ｂ」の場合であれば、次のように動作する。かかる場合にあっては、接続相手先の既存の電話機４２との通話において、既存の電話機４２との発呼接続もしくは着呼接続に当たって経由する網の如何によらず、ＰＳＴＮ番号検出部８又はＶｏＩＰ処理部２は、図３の名称「Ｂ」における同一の番号“０２２２２２２２２２”を検出する。よって、番号検索制御部９の検索結果として、図３に示すように、データベース９Ａから接続先の名称が名称「Ｂ」であり、ＰＳＴＮ番号が“０２２２２２２２２２”であることが判別される。従って、検索結果として該当する番号が検索されたものとして（ステップＳ６の「該当番号あり」の場合）、ステップＳ７に進み、不揮発性メモリ９Ｂに接続相手先の名称「Ｂ」とＰＳＴＮ番号“０２２２２２２２２２”とを記録する（ステップＳ７）。
【００４３】
次に、既存の電話機４２の接続先登録パターンが、ＰＳＴＮ番号のみを所有している図３における名称「Ｃ」の場合であれば、次のように動作する。かかる場合にあっては、接続先の既存の電話機４２との通話において、既存の電話機４２との発呼接続もしくは着呼接続のいずれの場合でも、ＰＳＴＮ番号検出部８又はＶｏＩＰ処理部２は、図３の名称「Ｃ」におけるＰＳＴＮ番号“０３３３３３３３３３”を検出する。よって、番号検索制御部９の検索結果として、図３に示すように、データベース９Ａから接続先の名称が名称「Ｃ」であり、ＰＳＴＮ番号が“０３３３３３３３３３”であることが判別される。従って、検索結果として該当する番号が検索されたものとして（ステップＳ６の「該当番号あり」の場合）、ステップＳ７に進み、不揮発性メモリ９Ｂに接続相手先の名称「Ｃ」とＰＳＴＮ番号“０３３３３３３３３３”とを記録する（ステップＳ７）。
【００４４】
次に、既存の電話機４２の接続先登録パターンが、ＶｏＩＰ番号のみを所有している図３における名称「Ｄ」の場合であれば、次のように動作する。かかる場合にあっては、接続先の既存の電話機４２との通話において、既存の電話機４２との発呼接続もしくは着呼接続のいずれの場合でも、ＰＳＴＮ番号検出部８又はＶｏＩＰ処理部２は、図３の名称「Ｄ」におけるＶｏＩＰ番号“０５０４４４４４４４４”を検出する。よって、番号検索制御部９の検索結果として、図３に示すように、データベース９Ａから接続先の名称が名称「Ｄ」であることが判別されると共に、ＰＳＴＮ番号が存在していないことが判別される。従って、検索結果として該当する番号が存在していないものとして（ステップＳ６の「該当番号なし」の場合）、ステップＳ８に進み、不揮発性メモリ９Ｂの発呼情報設定領域をクリアする（ステップＳ８）。
【００４５】
以上のいずれかの検索処理を終了すると、ステップＳ９に進み、ＶｏＩＰ呼としてインターネット網２０を経由した実際の通話が開始され通話継続の状態となる（ステップＳ９）。
【００４６】
ステップＳ９において通話状態にある場合に、例えば、ステップＳ１０のように、商用電源３１に停電が発生したことが停電検知部３により検知されると（ステップＳ１０）、給電切替部４により、電話装置１００内に給電する給電経路を通常給電部５から網給電部１へと切り替えられる。網給電部１による電力供給が開始されると（ステップＳ１１）、ＰＳＴＮ自動発呼部７が起動されて、ＰＳＴＮ網１０を経由した接続相手先に該当する既存の電話機４２のＰＳＴＮ番号が不揮発性メモリ９Ｂから読み出される（ステップＳ１２）。ここで、不揮発性メモリ９Ｂに、ＰＳＴＮ網１０を経由した接続相手先に該当するＰＳＴＮ番号が記憶されていない場合は（ステップＳ１３の「ＰＳＴＮ番号なし」の場合）、ＰＳＴＮ網１０経由のＰＳＴＮ通話に切り替えることができず、通話を再開させることができないので、接続相手先の既存の電話機４２との通話を終了する。
【００４７】
一方、不揮発性メモリ９Ｂに、ＰＳＴＮ網１０を経由した接続相手先に該当するＰＳＴＮ番号が発呼情報として記憶されていた場合（ステップＳ１３の「ＰＳＴＮ番号あり」の場合）、公衆回線１１を介してＰＳＴＮ網１０に対して自動的に発呼し、ＰＳＴＮ網１０からのダイヤルトーン信号に応じてＰＳＴＮ網１０に対して発呼情報として読み出した接続相手先の該当ＰＳＴＮ番号を送出することにより、既存の電話機４２とのＰＳＴＮ網１０を介した通話接続を起動する（ステップＳ１４）。接続相手先の既存のＶｏＩＰアダプタ５２がＰＳＴＮ網１０からの着呼を検出することにより、既存の電話機４２の接続経路がＰＳＴＮ網１０経由に切り替えられて、既存の電話機４２が応答すると、既存の電話機４１はＰＳＴＮ網１０を介して既存の電話機４２とＰＳＴＮ通話の接続経路が形成されて、通話を再開させた状態になる（ステップＳ１５）。
【００４８】
なお、ステップＳ１１において、網給電部１から電話装置１００内に給電する給電先の回路部としては、電話装置１００内の全ての回路部とする必要はなく、ＰＳＴＮ通話呼を形成するために最低限必要とする回路部のみで良い。例えば、図１のごとき電話装置１００の構成要素においては、データベース９Ａ、番号検索制御部９、ＶｏＩＰ処理部２などに対する電力供給は不要である。
【００４９】
以上のごとき動作を行なうことにより、本発明に係る電話装置１００にあっては、たとえ、インターネット網２０を介したＶｏＩＰ呼による通話中の状態において商用電源３１の停電が発生したとしても、網給電が可能なＰＳＴＮ網１０を介した通話接続に自動的に切り替えることにより、通話を再開させることが可能であり、ＶｏＩＰ呼に対しても安定した通話を保証することが可能となる。
【図面の簡単な説明】
【００５０】
【図１】本発明に係る電話装置の要部の一構成例と共に該電話装置のネットワーク接続構成の一例を示す概念図である。
【図２】本発明に係る電話装置の動作シーケンスの一例を示す動作フローチャートである。
【図３】発呼情報記憶手段である番号検索制御部により検索されるデータベースの登録内容の一例を示すテーブル構成図である。
【符号の説明】
【００５１】
１…網給電部、２…ＶｏＩＰ処理部、３…停電検知部、４…給電切替部、５…通常給電部、６…回線切替部、７…ＰＳＴＮ自動発呼部、８…ＰＳＴＮ番号検出部、９…番号検索制御部、９Ａ…データベース、９Ｂ…不揮発性メモリ、１０…ＰＳＴＮ網、１１…公衆回線、１１ａ…ポート、１２…公衆回線、２０…インターネット網、２１…ＶｏＩＰ回線、２１ａ…ポート、２２…ＶｏＩＰ回線、３０…既存のＶｏＩＰゲートウェイ、３１…商用電源、３１ａ…ポート、４１…既存の電話機、４１ａ…ポート、４２…既存の電話機、５１…ＶｏＩＰアダプタ、５２…既存のＶｏＩＰアダプタ、１００…電話装置。
【図１】
2005086286.tif 000003
【図２】
2005086286.tif 000004
【図３】
2005086286.tif 000005